(57)【要約】【課題】投射型表示装置の投射角度または撮像装置の撮影角度の調整のための治具として利用可能であり、その角度の調整可能範囲が広く、且つ、汎用性および取り扱いの容易性に優れたレンズカバー、並びにそれを備える投射型表示装置および撮像装置を提供する。【解決手段】レンズカバー６の摘み部６ａは、当該レンズカバー６を伏せて置いたとき当該レンズカバー６の底面に対して傾斜する斜面部６ｂを備える。プロジェクタ１０の前脚４をレンズカバー６の斜面部６ｂに載置し、その載置位置をずらすことにより、投射角度の調整が行われる。【選択図】図５
2010134312.tif 000002
【特許請求の範囲】
【請求項１】
使用者が指先で挟持可能な摘み部を備えるレンズカバーであって、
前記摘み部が、
当該レンズカバーを伏せて置いた状態での上面に、同状態での当該レンズカバーの下面に対して傾斜する斜面部を備える
ことを特徴とするレンズカバー。
【請求項２】
前記斜面部には、表面が当該斜面部の傾斜方向に沿って鋸歯状になるように複数の突起が形成されている
請求項１記載のレンズカバー。
【請求項３】
前記摘み部が、
当該レンズカバーを伏せて置いた状態での前記上面に、同状態での当該レンズカバーの下面からの高さが変化する階段部をさらに備える
請求項１または請求項２記載のレンズカバー。
【請求項４】
使用者が指先で挟持可能な摘み部を備えるレンズカバーであって、
前記摘み部が、
前記レンズカバーを伏せて置いた状態での上面に、同状態での前記レンズカバーの下面からの高さが変化する階段部を備える
ことを特徴とするレンズカバー。
【請求項５】
請求項１から請求項４のいずれか記載のレンズカバーを、投射レンズのカバーとして備える投射型表示装置。
【請求項６】
前記レンズカバーが、当該投射型表示装置に紐状部材を介して繋がれている
請求項５記載の投射型表示装置。
【請求項７】
投射角度を調整可能なように伸縮自在な脚部をさらに供える
請求項５または請求項６記載の投射型表示装置。
【請求項８】
前記脚部の底面が矩形である
請求項７記載の投射型表示装置。
【請求項９】
請求項１から請求項４のいずれか記載のレンズカバーを、撮像レンズのカバーとして備える撮像装置。
【請求項１０】
前記レンズカバーが、当該撮像装置に紐状部材を介して繋がれている
請求項９記載の撮像装置。
【請求項１１】
撮影角度を調整可能なように伸縮自在な脚部をさらに供える
請求項９または請求項１０記載の撮像装置。
【請求項１２】
前記脚部の底面が矩形である
請求項１１記載の撮像装置。
【発明の詳細な説明】
【技術分野】
【０００１】
本発明は、投射型表示装置や撮像装置など特定の範囲に対する投射や撮影を行う光学装置に関し、特に、そのレンズに取り付けられるレンズカバーの構成に関するものである。
【背景技術】
【０００２】
例えば、投射型表示装置（以下「プロジェクタ」）は、投射位置となるスクリーンの高さに応じて投射角度を調整できるように、伸縮自在な脚部を供えるものが多数存在する。脚部の伸縮幅が大きいほど、設定可能な投射角度の範囲は広くなる。しかしプロジェクタの小型化の観点から脚部の長さは制限されるので、投射角度の調整範囲には限界がある。そこでスクリーンの位置が投射角度の調整範囲外の場合には、脚部の下に厚みのある物（例えば書籍など）を敷き、脚部の長さを補うことが慣用的に行われている。
【０００３】
一方、プロジェクタの小型化が進んだ結果、その持ち運びが容易になり、使用場所が一定とは限らなくなった。例えば、会社の営業活動のために社外へ持ち出すことも現在では珍しいことではない。ところが、プロジェクタの持ち出し先においてスクリーンの位置が投射角度の調整範囲外であった場合、脚部の下に敷く適当な物がそこにあるとは限らない。そのため、脚部の下に敷く投射角度調整用の治具として、異なる厚さの複数のスペーサをプロジェクタ本体と一緒に持ち歩く必要が生じていた。
【０００４】
またこの問題は、投射型表示装置のみならず、ビデオカメラなどの据え置き型の撮像装置においても生じ得る。つまり撮影対象が、撮像装置の調整可能な撮影角度の範囲よりも高い位置にある場合には、撮像装置の脚部の下に厚みのある物（あるいは治具）を敷くなどして、撮影角度の調整範囲を広げる必要があった。
【０００５】
下記の特許文献１では、プロジェクタの投射レンズに装着するレンズカバー（レンズキャップ）を、脚部の下に敷き投射角度調整用の治具として利用する技術、およびそのためのレンズカバーの構造が開示されている。
【０００６】
特許文献１のレンズカバーは、プロジェクタの脚部を載せるための脚載置部を備えており、その脚載置部は、プロジェクタの脚部を載せる位置に応じて投射角度を調整可能なように構成されている。
【０００７】
例えば同文献図４のレンズカバーは、その内面に、脚載置部として深さの異なる複数の窪みを備えており、プロジェクタの脚部をどの窪みに入れるかによって投射角度が調整される。また同文献図７のレンズカバーでは、その内面に、脚載置部として斜面部を備えており、プロジェクタの脚部をその斜面部のどの位置に載置するかによって投射角度が調整される。
【０００８】
【特許文献１】特開２００４−１８４７９４号公報
【発明の開示】
【発明が解決しようとする課題】
【０００９】
上記のとおり、特許文献１のレンズカバーの脚載置部はレンズカバーの内面に形成される。しかしレンズカバーの肉厚はそれほど厚くないため、深さが大きく異なる複数の窪みや、急角度の斜面部を形成することはできない。よって投射角度の調整可能範囲を大きくすることには限界がある。
【００１０】
また脚載置部がレンズカバーの内面に位置するので、プロジェクタの脚部はレンズカバーの直径よりも小さいものでなければならない。例えば、プロジェクタを据え置いたときの安定度を高めるために、脚部の幅を広く設計した場合には適用困難である。特に、投射角度調整に用いられる伸縮自在な脚部は、それを伸ばしたときの強度を確保するために、ある程度太くすることが多い。
【００１１】
特許文献１のレンズカバーを投射角度調整のための治具として使用するとき、当該レンズカバーは、脚載置部のある内面を上に向けて置かれる。よって、そのとき下面となるレンズカバーの前面（内面の裏面）はフラットでなければならない。そのためレンズカバーの前面に、使用者が指先で摘むための摘み部を設けることができず、取り扱いが容易でない。
【００１２】
本発明は以上のような課題を解決するためになされたものであり、投射型表示装置の投射角度または撮像装置の撮影角度の調整のための治具として利用可能であり、その角度の調整可能範囲が広く、且つ、汎用性および取り扱いの容易性に優れたレンズカバー、並びにそれを備える投射型表示装置および撮像装置を提供することを目的とする。
【課題を解決するための手段】
【００１３】
本発明の第１の局面に係るレンズカバーは、使用者が指先で挟持可能な摘み部を備え、前記摘み部が、当該レンズカバーを伏せて置いた状態での上面に、同状態での当該レンズカバーの下面に対して傾斜する斜面部を備えるものである。
【００１４】
本発明の第２の局面に係るレンズカバーは、使用者が指先で挟持可能な摘み部を備え、当該レンズカバーを伏せて置いた状態での上面に、同状態での当該レンズカバーの下面からの高さが変化する階段部を備えるものである。
【発明の効果】
【００１５】
本発明に係るレンズカバーによれば、投射型表示装置（プロジェクタ）の脚部をレンズカバーの摘み部に形成された斜面部または階段部に載置しつつ、その載置位置をずらすことで投射角度を調整することができる。即ち、当該レンズカバーは、投射角度調整ための治具として用いることができる。
【００１６】
摘み部はレンズカバー本体から突出するため、プロジェクタの脚部の幅がレンズカバーの径よりも大きい場合でも使用可能である。また摘み部の高さはレンズカバーの肉厚よりも容易に大きくできるので、斜面部の角度または階段部の段差を大きくでき、投射角度の調整可能範囲を広くできる。使用者は、摘み部を挟持してレンズカバーを保持できるため、レンズカバーの取り扱いも容易である。
【００１７】
また本発明のレンズカバーは、プロジェクタに限らず、撮像装置の撮像レンズのカバーとしても適用可能であり、撮影角度調整にも用いることもできる。
【発明を実施するための最良の形態】
【００１８】
＜実施の形態１＞
図１および図２は、本発明に係るプロジェクタ１０の構成を示す図であり、図１はプロジェクタ１０の斜視図、図２はプロジェクタ１０の底面図である。これらの図に示すように、画像を拡大投影するための投射レンズ２は、プロジェクタ１０の筐体１の前面に配設されている。また筐体１の底面には、前脚４と２つの後脚５が設けられている。この例では、前脚４の底面は長方形（矩形）であり、後脚５の底面は丸型である。
【００１９】
前脚４は、画像の投射角度を調整可能なように伸縮自在である。前脚４の長さ（突出量）は、筐体１の前面に設けられた前脚調整ボタン３を操作することにより行われる。即ち、前脚調整ボタン３が押されると、前脚４のロックが解除され前脚４が下方向（矢印Ａの方向）に突出する。但し、前脚調整ボタン３が押されない限りは、前脚４は長さが変わらないようにロックされる。また前脚調整ボタン３を押して前脚４のロックを解除した状態で、前脚４を筐体１へと押し入れれば、前脚４を短くすることができる。
【００２０】
またプロジェクタ１０は、投射レンズ２に着脱可能なレンズカバー６を備えている（図２ではレンズカバー６の図示を省略している）。レンズカバー６は、紛失防止のために紐状部材７（繋糸）を介して筐体１に繋がれている。プロジェクタ１０の非使用時にはレンズカバー６を投射レンズ２に装着することで、投射レンズ２を保護できる。レンズカバー６の構成の詳細については後述するが、レンズカバー６の前面（装着時に投射レンズ２に対向しない面）には、使用者が指先で挟持可能な摘み部６ａが形成されており、その上面は斜面部６ｂが形成されている。
【００２１】
図３は、前脚４を最も長く伸ばしたときのプロジェクタ１０の側面図である。つまり同図に示す角度θ1は、治具を使うことなくプロジェクタ１０の本体のみで使用するときの、最大投射角度である。
【００２２】
図４は、実施の形態１に係るレンズカバー６の構成を示す三面図である。ここで図４の下部に示される側面図のように、当該レンズカバー６を伏せて置いた状態、すなわち投射レンズ２に装着したときに当該投射レンズ２に対向する面（レンズカバー６の内面）を下に向けた状態を想定する。本実施の形態のレンズカバー６は、この状態で摘み部６ａの上面となる部分に、同状態でのレンズカバー６の下面に対して傾斜する斜面部６ｂが形成されている。
【００２３】
図５は、プロジェクタ１０の投射角度調整用の治具としてレンズカバー６を使用した状態でのプロジェクタ１０の側面図である。図５のプロジェクタ１０は、図３と同様に前脚４を最も長く伸ばした状態である。
【００２４】
レンズカバー６を投射角度調整用の治具として使用する場合、図５の如く、プロジェクタ１０の前脚４の下に、伏せて置いたレンズカバー６を敷く。このとき前脚４は、摘み部６ａ上面の斜面部６ｂに載置される。
【００２５】
前脚４がレンズカバー６の上に載せられるため、図５に示す投射角度θ2は、プロジェクタ１０本体のみでの最大投射角度（図４のθ1）よりも大きくなる。つまりプロジェクタ１０の投射角度の調整範囲が広がる。
【００２６】
またレンズカバー６の位置をずらして、斜面部６ｂに前脚４が載置される位置を変えることにより、前脚４の長さを変えることなく（例えば前脚４を最も長くした状態のままで）投射角度を調整することができる。よって本発明に係るレンズカバー６を用いれば、脚部の伸縮機能を有しないプロジェクタの投射角度の調整も可能である。特に本実施の形態では、斜面部６ｂの表面は平坦であるので、前脚４の下のレンズカバー６の位置をずらすことにより、無段階な（連続的な）投射角度の調整が可能である。
【００２７】
前脚４が載置される斜面部６ｂは、レンズカバー６の上面から突出した摘み部６ａに形成されているため、前脚４の幅がレンズカバー６の径よりも大きい場合でも投射角度調整用の治具として使用可能である。特に、図１および図２のプロジェクタ１０のように、据え置いたときの安定度向上のために前脚４の底面を幅の広い矩形（長方形）にした場合に有効である。また摘み部６ａの高さはレンズカバー６の肉厚よりも容易に大きくできるので、斜面部６ｂの傾斜角度を大きくでき、投射角度の調整可能範囲をより広くできる。
【００２８】
使用者は、摘み部６ａを指先で挟持してレンズカバー６を保持できるため、レンズカバー６の取り扱いが容易になるという利点もある。また、レンズカバー６は紐状部材７を介して筐体１に繋がれているので、レンズカバー６の紛失も防止される。
【００２９】
以上の説明では本発明の適用例としてプロジェクタの投射レンズのレンズカバーを示したが、本発明の適用はそれに限定されず、据え置き型の撮像装置の撮像レンズのレンズカバーとしても適用可能である。撮像装置の構成例としては、例えば、図１〜図３の投射レンズ２を撮像レンズに置き換えたものなどが考えられる。そして、レンズカバー６を撮像装置の撮影角度調整のための治具として使用する場合は、図５と同様に撮像装置の脚部をレンズカバー６の斜面部６ｂに載置すればよい。
【００３０】
＜実施の形態２＞
以下の実施の形態では、本発明に係るレンズカバー６の構成の変形例を示す。
【００３１】
図６は、実施の形態２に係るレンズカバー６の構成を示す三面図である。同図の如く、当該レンズカバー６では、摘み部６ａの斜面部６ｂに、複数の三角状突起６ｃが形成されている。三角状突起６ｃは、斜面部６ｂの傾斜方向に沿って鋸歯状になるように配設されている。つまり三角状突起６ｃの一つ一つは斜面部６ｂの傾斜方向に対して直角に延在している。
【００３２】
三角状突起６ｃは、プロジェクタ１０の前脚４を斜面部６ｂに載置したときの滑り止めとして機能する。それにより、レンズカバー６を用いて投射角度の調整をしたときにおけるプロジェクタ１０の安定度が向上する。
【００３３】
＜実施の形態３＞
図７は、実施の形態３に係るレンズカバー６の構成を示す三面図である。ここでも図７の下部に示される側面図のように、当該レンズカバー６を伏せて置いた状態、すなわち投射レンズ２に装着したときに当該投射レンズ２に対向する面（レンズカバー６の内面）を下に向けた状態を想定する。本実施の形態のレンズカバー６は、この状態で摘み部６ａの上面となる部分に、同状態でのレンズカバー６の下面からの高さが変化する階段部６ｄが形成されている。
【００３４】
本実施の形態のレンズカバー６を投射角度調整用の治具として使用する場合、プロジェクタ１０の前脚４は、摘み部６ａ上面の階段部６ｄに載置される。実施の形態１のように表面が平坦な斜面部６ｂに前脚４を載置する場合よりも、プロジェクタ１０の安定度を向上させることができる。また階段部６ｄの各段差に応じた段階的な投射角度の調整が可能になる。
【００３５】
＜実施の形態４＞
本実施の形態では、上記の実施の形態１，３を組み合わせる。図８は、実施の形態４に係るレンズカバー６の構成を示す三面図である。同図の如く、本実施の形態に係るレンズカバー６は、当該レンズカバー６を伏せて置いた状態で摘み部６ａの上面となる部分に、レンズカバー６の下面に対して傾斜する斜面部６ｂと、レンズカバー６の下面からの高さが変化する階段部６ｄの両方を備えている。
【００３６】
本実施の形態のレンズカバー６によれば、斜面部６ｂを用いた無段階な（連続的な）投射角度の調整と、階段部６ｄの各段差に応じた段階的な投射角度の調整の両方が可能になる。
【００３７】
＜実施の形態５＞
図９は、実施の形態５に係るレンズカバー６の構成を示す三面図である。当該レンズカバー６は、実施の形態４のレンズカバーに実施の形態２を適用したものである。即ち、本実施の形態のレンズカバー６は、実施の形態４のように摘み部６ａが斜面部６ｂと階段部６ｄの両方を備え、且つ、実施の形態２のように斜面部６ｂに複数の三角状突起６ｃを設けたものである。
【００３８】
本実施の形態のレンズカバー６によれば、斜面部６ｂを用いた無段階な（連続的な）投射角度の調整と、階段部６ｄの各段差に応じた段階的な投射角度の調整の両方が可能である。なお且つ、三角状突起６ｃがプロジェクタ１０の前脚４を斜面部６ｂに載置したときの滑り止めとして機能するので、斜面部６ｂを用いて投射角度の調整をしたときのプロジェクタ１０の安定度が向上する。
【図面の簡単な説明】
【００３９】
【図１】本発明に係るプロジェクタの構成を示す斜視図である。
【図２】本発明に係るプロジェクタの構成を示す底面図である。
【図３】プロジェクタの投射角度を示す図である。
【図４】実施の形態１に係るレンズカバーの構成を示す三面図である。
【図５】実施の形態１に係るレンズカバーを用いて投射角度の調整をしたときのプロジェクタの投射角度を示す図である。
【図６】実施の形態２に係るレンズカバーの構成を示す三面図である。
【図７】実施の形態３に係るレンズカバーの構成を示す三面図である。
【図８】実施の形態４に係るレンズカバーの構成を示す三面図である。
【図９】実施の形態５に係るレンズカバーの構成を示す三面図である。
【符号の説明】
【００４０】
１  筐体、２  投射レンズ、３  前脚調整ボタン、４  前脚、５  後脚、６  レンズカバー、６ａ  摘み部、６ｂ  斜面部、６ｃ  三角状突起、６ｄ  階段部、７  紐状部材、１０  プロジェクタ。
【図１】
2010134312.tif 000003
【図２】
2010134312.tif 000004
【図３】
2010134312.tif 000005
【図４】
2010134312.tif 000006
【図５】
2010134312.tif 000007
【図６】
2010134312.tif 000008
【図７】
2010134312.tif 000009
【図８】
2010134312.tif 000010
【図９】
2010134312.tif 000011